(57)【要約】【課題】  映画の終了時に所望の目的が達成されるように操作対象機器を制御することが可能なＡＶシステムを提供する。【解決手段】  ＤＶＤ再生装置の制御部１３は、再生中の映画の残時間を検出し、検出した残時間がメモリ１４に記憶されている時間ＴＲになったことに応じて、メモリ１４に格納されている操作対象の家電機器４を特定するための情報と制御信号をリモコン送信機３に与える。リモコン送信機３は、その家電機器４に応じた形式の赤外線信号を出力して、家電機器４の駆動を開始させる。ユーザは、映画終了後直ぐに風呂に入ったり、コーヒーを飲んだりすることができる。【選択図】        図２
2006005821.tif 000002
【特許請求の範囲】
【請求項１】
ディスクに記録された映画の映像信号を再生する映像信号再生部、
第１のメモリ、
操作対象機器を特定する第１の情報と所望の時間を示す第２の情報とを前記第１のメモリに格納するための操作部、および
前記映像信号再生部によって映像信号が再生されている映画の残時間を検出し、検出した残時間が前記第１のメモリに格納された前記第２の情報で示される前記所望の時間になったことに応じて、前記第１のメモリから取出した前記第１の情報を出力する第１の制御部を含むＤＶＤ再生装置と、
操作対象機器とそれを制御するための赤外線信号の信号形式との関係を示すテーブルを記憶した第２のメモリ、
前記ＤＶＤ再生装置の第１の制御部から前記第１の情報が出力されたことに応じて、前記第１の情報で特定される操作対象機器に対応する赤外線信号の信号形式を前記第２のメモリから読出し、読み出した信号形式に基づき、前記第１の情報で特定される操作対象機器の駆動開始を指示する駆動信号を出力する第２の制御部、および
前記第２の制御部からの駆動信号に従って発光し、前記第１の情報で特定される操作対象機器に赤外線信号を送信する発光部を含むリモコン送信機とを備える、ＡＶシステム。
【請求項２】
記録媒体に記録された映画の映像信号を再生する映像信号再生手段と、
操作対象機器と所望の時間とを登録するための登録手段と、
前記映像信号再生手段によって映像信号が再生されている映画の残時間を検出し、検出した残時間が前記登録手段に登録された所望の時間になったことに応じて制御信号を出力する検出手段と、
前記検出手段から前記制御信号が出力されたことに応じて、前記登録手段に登録された操作対象機器の駆動開始を指示するリモコン信号を送信する送信手段とを備える、ＡＶシステム。
【請求項３】
前記映像信号再生手段、前記登録手段、および前記検出手段は、ＤＶＤ再生装置に含まれている、請求項２に記載のＡＶシステム。
【発明の詳細な説明】
【技術分野】
【０００１】
この発明はＡＶ（音響・映像）システムに関し、特に、ディスクに記録された映画の映像信号を再生するＤＶＤ再生装置を備えたＡＶシステムに関する。
【背景技術】
【０００２】
従来より、ＶＴＲ機器が映画の再生を開始したことに応じて照明を暗くするとともに電動カーテンを閉め、ＶＴＲ機器が映画の再生を終了したことに応じて照明を明るくするとともに電動カーテンを開けて、映画鑑賞に適した室内環境を創出する方法がある（たとえば特許文献１参照）。
【０００３】
また、映画のシーンに合わせて、扇風機を動かして風を吹かせたり、クーラーを働かして温度を下げたりして、映画のシーンに合った視聴環境を創出する方法もある（たとえば特許文献２参照）。
【０００４】
また、映画の鑑賞を終了した後には、風呂に入ってリラックスしたり、コーヒーを飲んで余韻を楽しんだり、軽食を取りたいという要求がある。
【特許文献１】特開平５−３３４８６３号公報
【特許文献２】特開２００２−１０３７０号公報
【発明の開示】
【発明が解決しようとする課題】
【０００５】
しかし、従来は、映画が終了した後に、風呂を沸かしたり、コーヒーを入れたり、軽食を作る必要があり、待ち時間が無駄であるという問題があった。
【０００６】
それゆえに、この発明の主たる目的は、映画の終了時に所望の目的が達成されるように操作対象機器を制御することが可能なＡＶシステムを提供することである。
【課題を解決するための手段】
【０００７】
この発明に係るＡＶシステムは、ＤＶＤ再生装置とリモコン送信機を備える。ＤＶＤ装置は、ディスクに記録された映画の映像信号を再生する映像信号再生部と、第１のメモリと、操作対象機器を特定する第１の情報と所望の時間を示す第２の情報とを第１のメモリに格納するための操作部と、映像信号再生部によって映像信号が再生されている映画の残時間を検出し、検出した残時間が第１のメモリに格納された第２の情報で示される所望の時間になったことに応じて、第１のメモリから取出した第１の情報を出力する第１の制御部とを含む。リモコン送信機は、操作対象機器とそれを制御するための赤外線信号の信号形式との関係を示すテーブルを記憶した第２のメモリと、ＤＶＤ再生装置の第１の制御部から第１の情報が出力されたことに応じて、第１の情報で特定される操作対象機器に対応する赤外線信号の信号形式を第２のメモリから読出し、読み出した信号形式に基づき、第１の情報で特定される操作対象機器の駆動開始を指示する駆動信号を出力する第２の制御部と、第２の制御部からの駆動信号に従って発光し、第１の情報で特定される操作対象機器に赤外線信号を送信する発光部とを含む。
【発明の効果】
【０００８】
この発明に係るＡＶシステムでは、操作対象機器を特定する情報と所望の時間とを登録し、映画の残時間が登録された所望の時間になったことに応じて赤外線信号を出力し、登録された操作対象機器の駆動を開始させる。したがって、所望の時間および操作対象機器を登録することにより、映画の終了時に所望の目的が達成されるように操作対象機器を制御することができる。
【発明を実施するための最良の形態】
【０００９】
図１は、この発明の一実施の形態によるＡＶシステムの構成を示すブロック図である。図１において、このＡＶシステムは、テレビ受像機１、ＤＶＤ再生装置２およびリモコン送信機３を備え、再生中の映画の残存時間が所定時間になったことに応じて家電機器４の駆動を開始させる。家電機器４は、たとえば、風呂沸し器、コーヒーメーカ、トースター、電気炊飯器などである。
【００１０】
すなわち、テレビ受像機１は、チューナによって選択されたチャンネルの番組の映像を表示したり、ＤＶＤ再生装置２によって再生された映像信号に従って映画などを表示する。ＤＶＤ再生装置２は、図２に示すように、操作部１１、映像信号再生部１２、制御部１３、およびメモリ１４を含む。操作部１１は、ユーザによって操作され、ディスクに記録された映画の再生、停止、ディスクの取出しなどの通常の動作に加え、操作対象の家電機器４を特定するための情報（製造メーカー名、機器種類、型番号など）と、家電機器４の駆動開始から映画の終了までの時間ＴＲを示す情報とを登録するために用いられる。
【００１１】
映像信号再生部１２は、制御部１３によって制御され、ディスクに記録された映画の映像信号の再生などを行う。メモリ１４は、操作部１１を介して入力された操作対象の家電機器４を特定するための情報と時間ＴＲを示す情報とを格納する。制御部１３は、操作部１１からの信号に従って映像信号再生部１２を制御するとともに、再生中の映画の残時間を検出し、検出した残時間がメモリ１４に記憶されている時間ＴＲになったことに応じて、メモリ１４に格納されている操作対象の家電機器４を特定するための情報と、家電機器１４の駆動開始を指示する制御信号をリモコン送信機３に与える。
【００１２】
リモコン送信機３は、メモリ１５、制御部１６および発光部１７を含む。家電機器４を制御するための赤外線信号の信号形式は、製造メーカ、機器種類、型番号などによって異なる。メモリ１５は、製造メーカ、機器種類、型番号などと、赤外線信号の信号形式との関係を示すテーブルを格納している。制御部１６は、ＤＶＤ再生装置２の制御部１３から家電機器４を特定する情報と制御信号が与えられたことに応じて、その家電機器４に対応する赤外線信号の信号形式をメモリ１５から読出し、読み出した信号形式に基づき、家電機器４の駆動開始を指示するための駆動信号を発光部１７に与える。発光部１７は、制御部１６からの駆動信号に応じて発光し、メモリ１５から読み出された信号形式に応じた波形の赤外線信号を家電機器４の受光部に出射する。
【００１３】
図３は、図１および図２に示したＡＶシステムの動作を示すフローチャートである。図３において、ステップＳ１において制御部１３は、操作部１１を介して入力された操作対象の家電機器４を特定する情報（たとえばＡ社、風呂沸し器、Ｂ型）と所望の時間ＴＲ（たとえば風呂を沸かすのに必要な時間である３０分）を示す情報をメモリ１４に格納する。ステップＳ２において制御部１３は、映像信号再生部１２を制御してディスクに記録された映画の再生を開始させる。
【００１４】
次にステップＳ３において、制御部１３は、映像信号再生部１２から与えられる信号に基づき、再生中の映画の残時間を検出する。次いでステップＳ４において、制御部１３は、ステップＳ３で検出した残時間がメモリ１４に格納されている情報で示される時間ＴＲ以下か否かを判別し、残時間がＴＲ以下でない場合はステップＳ３に戻り、残時間がＴＲ以下である場合はステップＳ５に進む。ステップＳ５では、制御部１３は家電機器４を特定する情報と制御信号を出力し、リモコン送信機３に家電機器４を駆動開始させるための赤外線信号を送信させる。これにより、映画の終了時にちょうど風呂が沸いているので、ユーザは映画終了後直ぐに風呂に入ってリラックスすることができる。
【００１５】
なお、ステップＳ１で、コーヒーメーカと所定の時間を登録すれば、映画終了後直ぐにコーヒーを飲んで余韻を楽しむことができる。また、トースターと所定の時間を登録すれば、映画終了後直ぐにトーストを食べることができる。また、電気炊飯器と所定の時間を登録すれば、映画終了後直ぐにご飯を食べることができる。
【００１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００１７】
【図１】この発明の一実施の形態によるＡＶシステムの構成を示すブロック図である。
【図２】図１に示したＤＶＤ再生装置およびリモコン送信機の構成を示すブロック図である。
【図３】図１および図２に示したＡＶシステムの動作を示すフローチャートである。
【符号の説明】
【００１８】
１  テレビ受像機、２  ＤＶＤ再生装置、３  リモコン送信機、４  家電機器、１１  操作部、１２  映像信号再生部、１３，１６  制御部、１４，１５  メモリ、１７  発光部。
【図１】
2006005821.tif 000003
【図２】
2006005821.tif 000004
【図３】
2006005821.tif 000005